(57)【要約】      （修正有）【課題】機器を適切に制御することを可能とする電力管理方法、電力管理装置、電力変換装置及び電力管理システムを提供する。【解決手段】電力管理システム１において、複数の分散電源に接続可能な電力変換装置ＰＣＳは、複数の分散電源の夫々が出力する直流電力をまとめて交流に変換可能な変換部と、所定の通信プロトコルに従って電力管理装置ＥＭＳとの通信を行う通信部と、を備える。通信部は、電力変換装置の電源が投入又は再投入されたタイミング又は電力管理装置に分散電源が接続又は再接続されたタイミングで、電力管理装置と電力管理装置に接続された各分散電源とを示すインスタンスリスト通知を電力管理装置に送信する。【選択図】図１
2020205746.tif 000002
【特許請求の範囲】
【請求項１】
複数の分散電源に接続可能な電力変換装置であって、
前記複数の分散電源のそれぞれが出力する直流電力をまとめて交流に変換可能な変換部と、
所定の通信プロトコルに従って電力管理装置との通信を行う通信部と、を備え、
前記通信部は、前記電力変換装置の電源が投入又は再投入されたタイミング、又は、前記電力管理装置に分散電源が接続又は再接続されたタイミングで、前記電力管理装置と前記電力管理装置に接続された各分散電源とを示すインスタンスリスト通知を前記電力管理装置に送信する、電力変換装置。
【請求項２】
前記通信部は、前記インスタンスリストの送信要求がなくても、前記タイミングで前記インスタンスリストを前記電力管理装置に送信する、請求項１に記載の電力変換装置。
【請求項３】
前記通信部は、系統連系状態における前記複数の分散電源のうち１つの分散電源の連系定格出力及び自立運転状態における前記１つの分散電源の自立定格出力を識別可能な態様で、前記１つの分散電源の連系定格出力及び前記１つの分散電源の自立定格出力の少なくともいずれか１つを指定する情報要素を含むコマンドの通信を前記電力管理装置と行う、請求項１又は２に記載の電力変換装置。
【請求項４】
前記通信部は、
前記インスタンスリスト通知を前記電力管理装置に送信した後、送信要求メッセージを前記電力管理装置から受信し、
前記送信要求メッセージに応じて応答メッセージを前記電力管理装置に送信し、
前記応答メッセージは、前記電力管理装置に接続された分散電源を示す情報要素を含む、請求項１乃至３のいずれか１項に記載の電力変換装置。
【請求項５】
複数の分散電源に接続可能な電力変換装置の制御方法であって、
前記複数の分散電源のそれぞれが出力する直流電力をまとめて交流に変換するステップと、
所定の通信プロトコルに従って電力管理装置との通信を行うステップと、を有し、
前記通信を行うステップは、前記電力変換装置の電源が投入又は再投入されたタイミング、又は、前記電力管理装置に分散電源が接続又は再接続されたタイミングで、前記電力管理装置と前記電力管理装置に接続された各分散電源とを示すインスタンスリスト通知を前記電力管理装置に送信するステップを含む、電力変換装置の制御方法。
【発明の詳細な説明】
【技術分野】
【０００１】
本発明は、電力管理方法、電力管理装置、電力変換装置及び電力管理システムに関する技術である。
【背景技術】
【０００２】
近年、施設に設けられる分散電源を利用することによって、電力系統の電力需給バランスを調整する技術が注目を集めている。このような分散電源としては、例えば、自然エネルギーを利用する電源（太陽光発電装置、風力発電装置及び水力発電装置）が挙げられる。
【０００３】
また、機器と、機器を管理する電力管理装置とを有する電力管理システムが提案されている。電力管理システムは、管理する対象に応じて、例えば、ＨＥＭＳ（Ｈｏｍｅ  Ｅｎｅｒｇｙ  Ｍａｎａｇｅｍｅｎｔ  Ｓｙｓｔｅｍ）、ＳＥＭＳ（Ｓｔｏｒｅ  Ｅｎｅｒｇｙ  Ｍａｎａｇｅｍｅｎｔ  Ｓｙｓｔｅｍ）、ＢＥＭＳ（Ｂｕｉｌｄｉｎｇ  Ｅｎｅｒｇｙ  Ｍａｎａｇｅｍｅｎｔ  Ｓｙｓｔｅｍ）、ＦＥＭＳ（Ｆａｃｔｏｒｙ  Ｅｎｅｒｇｙ  Ｍａｎａｇｅｍｅｎｔ  Ｓｙｓｔｅｍ）、ＣＥＭＳ（Ｃｌｕｓｔｅｒ／Ｃｏｍｍｕｎｉｔｙ  Ｅｎｅｒｇｙ  Ｍａｎａｇｅｍｅｎｔ  Ｓｙｓｔｅｍ）などと称される。
【０００４】
上述した電力管理システムの普及には、機器と電力管理装置との間の通信規格を共通化することが効果的であり、このような通信規格の共通化が試みられている。
【先行技術文献】
【特許文献】
【０００５】
【特許文献１】特開２０１０−１２８８１０号公報
【発明の概要】
【０００６】
上述したメッセージフォーマットの共通化は端緒についたばかりであり、機器を適切に制御するためのメッセージフォーマットについては、様々な検討が必要である。
【０００７】
そこで、本発明は、上述した課題を解決するためになされたものであり、機器を適切に制御することを可能とする電力管理方法、電力管理装置、電力変換装置及び電力管理システムを提供することを目的とする。
【０００８】
本発明に係る電力変換装置は、複数の分散電源に接続可能な電力変換装置であって、前記複数の分散電源のそれぞれが出力する直流電力をまとめて交流に変換可能な変換部と、所定の通信プロトコルに従って電力管理装置との通信を行う通信部と、を備え、前記通信部は、前記電力変換装置の電源が投入又は再投入されたタイミング、又は、前記電力管理装置に分散電源が接続又は再接続されたタイミングで、前記電力管理装置と前記電力管理装置に接続された各分散電源とを示すインスタンスリスト通知を前記電力管理装置に送信する。第１の開示に係る電力管理方法は、電力変換装置と電力管理装置との間で所定プロトコルを用いた所定コマンドの通信を行うステップＡを備える。電力変換装置は、第１分散電源及び第２分散電源に接続される。電力管理方法は、前記電力変換装置が、前記第１分散電源及び前記第２分散電源からの直流電力を交流電力に変換するステップＢをさらに備える。前記ステップＡは、系統連系状態における前記電力変換装置の連系定格出力及び自立運転状態における前記電力変換装置の自立定格出力の少なくともいずれか１つを指定する情報要素を含むコマンドの通信を前記所定コマンドの通信として行うステップを含む。前記情報要素は、前記電力変換装置の連系定格出力及び前記電力変換装置の自立定格出力を識別可能な態様で指定する。
【０００９】
第２の開示に係る電力変換装置は、第１分散電源及び第２分散電源に接続される。前記電力変換装置は、前記第１分散電源及び前記第２分散電源からの直流電力を交流電力に変換する電力変換部と、電力管理装置と所定プロトコルを用いた所定コマンドの通信を行う通信部とを備える。前記通信部は、系統連系状態における前記電力変換装置の連系定格出力及び自立運転状態における前記電力変換装置の自立定格出力の少なくともいずれか１つを指定する情報要素を含むコマンドの通信を前記所定コマンドの通信として行う。前記情報要素は、前記電力変換装置の連系定格出力及び前記電力変換装置の自立定格出力を識別可能な態様で指定する。
【００１０】
第３の開示に係る電力管理装置は、第１分散電源及び第２分散電源に接続され、前記第１分散電源及び前記第２分散電源からの直流電力を交流電力に変換する電力変換装置と、所定プロトコルを用いた所定コマンドの通信を行う通信部を備える。前記通信部は、系統連系状態における前記電力変換装置の連系定格出力及び自立運転状態における前記電力変換装置の自立定格出力の少なくともいずれか１つを指定する情報要素を含むコマンドの通信を前記所定コマンドの通信として行う。前記情報要素は、前記電力変換装置の連系定格出力及び前記電力変換装置の自立定格出力を識別可能な態様で指定する。
【００１１】
第４の開示に係る電力管理システムは、第１分散電源及び第２分散電源に接続された電力変換装置と、電力管理装置とを備える。前記電力変換装置は、前記第１分散電源及び前記第２分散電源からの直流電力を交流電力に変換する電力変換部と、前記電力管理装置と所定プロトコルを用いた所定コマンドの通信を行う第１通信部とを備える。前記電力管理装置は、前記電力変換装置と前記所定プロトコルを用いた前記所定コマンドの通信を行う第２通信部を備える。前記第１通信部及び前記第２通信部は、系統連系状態における前記電力変換装置の連系定格出力及び自立運転状態における前記電力変換装置の自立定格出力の少なくともいずれか１つを指定する情報要素を含むコマンドの通信を前記所定コマンドの通信として行う。前記情報要素は、前記電力変換装置の連系定格出力及び前記電力変換装置の自立定格出力を識別可能な態様で指定する。
【００１２】
一態様によれば、機器を適切に制御することを可能とする電力管理方法、電力管理装置、電力変換装置及び電力管理システムを提供することができる。
【図面の簡単な説明】
【００１３】
【図１】図１は、一実施形態に係る電力管理システム１を示す図である。
【図２】図２は、一実施形態に係るＰＣＳ１３１を示す図である。
【図３】図３は、一実施形態に係るＥＭＳ１６０を示す図である。
【図４】図４は、一実施形態に係るＳＥＴコマンドの一例を示す図である。
【図５】図５は、一実施形態に係るＳＥＴ応答コマンドの一例を示す図である。
【図６】図６は、一実施形態に係るＧＥＴコマンドの一例を示す図である。
【図７】図７は、一実施形態に係るＧＥＴ応答コマンドの一例を示す図である。
【図８】図８は、一実施形態に係るＩＮＦコマンドの一例を示す図である。
【図９】図９は、一実施形態に係る電力管理方法を示すシーケンス図である。
【００１４】
［実施形態］
（電力管理システム）
以下において、一実施形態に係る電力管理システムについて説明する。
【００１５】
図１に示すように、一実施形態に係る電力管理システム１は、施設１００と、外部サーバ４００とを有する。施設１００は、ルータ２００を有する。ルータ２００は、ネットワーク３００を介して外部サーバ４００と接続される。ルータ２００は、ローカルエリアネットワークを構成しており、各装置（例えば、ＰＣＳ１３１、ＰＣＳ１３２、負荷１５０及びＥＭＳ１６０など）と接続される。図１において、実線は電力線を示しており、点線は信号線を示している。信号は、電力線を介して送信されてもよい。
【００１６】
施設１００は、太陽電池１１１と、蓄電池１１２と、燃料電池１１３と、給湯装置１１４と、ＰＣＳ１３１と、ＰＣＳ１３２と、分電盤１４０と、負荷１５０と、ＥＭＳ１６０とを有する。
【００１７】
太陽電池１１１は、受光に応じて発電する。太陽電池１１１は、発電された直流電力を出力する。太陽電池１１１の発電量は、太陽電池１１１に照射される日射量に応じて変化する。一実施形態では、太陽電池１１１は、ＰＣＳ１３１に接続される第１分散電源の一例である。
【００１８】
蓄電池１１２は、電力を蓄積する。蓄電池１１２は、蓄積された直流電力を出力する。一実施形態では、蓄電池１１２は、ＰＣＳ１３１に接続される第２分散電源の一例である。
【００１９】
燃料電池１１３は、燃料ガスを用いて電力を発電する。燃料電池１１３は、固体酸化物型燃料電池（以下、ＳＯＦＣ：Ｓｏｌｉｄ  Ｏｘｉｄｅ  Ｆｕｅｌ  Ｃｅｌｌ）、固体高分子型燃料電池（以下、ＰＥＦＣ：Ｐｏｌｙｍｅｒ  Ｅｌｅｃｔｒｏｌｙｔｅ  Ｆｕｅｌ  Ｃｅｌｌ）、リン酸型燃料電池（以下、ＰＡＦＣ：Ｐｈｏｓｐｈｏｒｉｃ  Ａｃｉｄ  Ｆｕｅｌ  Ｃｅｌｌ）及び溶融炭酸塩型燃料電池（以下、ＭＣＦＣ：Ｍｏｌｔｅｎ  Ｃａｒｂｏｎａｔｅ  Ｆｕｅｌ  Ｃｅｌｌ）のいずれかであってもよい。
【００２０】
給湯装置１１４は、貯湯槽を有する。給湯装置１１４は、燃料電池１１３から排出される排熱を用いて、貯湯槽に貯留される水又は湯の量を維持又は増大させる。給湯装置１１４は、貯湯槽に貯留される水又は湯の温度を維持又は上昇させてもよい。このような制御は、貯湯槽に貯留される水の沸き上げと称されてもよい。このようなケースにおいて、燃料電池１１３及び給湯装置１１４を含むユニットは、燃料電池装置と称されてもよい。
【００２１】
ＰＣＳ１３１は、太陽電池１１１及び蓄電池１１２に接続される電力変換装置（ＰＣＳ；Ｐｏｗｅｒ  Ｃｏｎｄｉｔｉｏｎｉｎｇ  Ｓｙｓｔｅｍ）である。ＰＣＳ１３１は、太陽電池１１１及び蓄電池１１２からの直流電力を交流電力に変換する。ＰＣＳ１３１は、蓄電池１１２への交流電力を直流電力に変換する。
【００２２】
ＰＣＳ１３２は、燃料電池１１３に接続される電力変換装置である。ＰＣＳ１３２は、燃料電池１１３からの直流電力を交流電力に変換する。
【００２３】
一実施形態では、ＰＣＳ１３１及びＰＣＳ１３２は、有線又は無線によってルータ２００と接続される。ＰＣＳ１３１及びＰＣＳ１３２は、ルータ２００を介して外部サーバ４００と接続されていてもよい。ＰＣＳ１３１及びＰＣＳ１３２は、ルータ２００を介してＥＭＳ１６０と接続されており、所定フォーマットを有する所定コマンドの通信をＥＭＳ１６０と行う。所定フォーマットは、特に限定されるものではなく、例えば、ＥＣＨＯＮＥＴ方式、ＥＣＨＯＮＥＴ  Ｌｉｔｅ方式、ＳＥＰ２．０方式又はＫＮＸ方式等に準拠する。
【００２４】
例えば、所定フォーマットの一例として、ＥＣＨＯＮＥＴ  Ｌｉｔｅ方式に準拠するフォーマットについて説明する。このようなケースにおいて、所定コマンドは、例えば、各機器に対して機器の設定又は操作を指示する設定コマンド（例えば、ＳＥＴコマンド）、設定コマンドに対する応答である設定応答コマンド（例えば、ＳＥＴ応答コマンド）、各機器に対して機器の情報の送信を要求する要求コマンド（例えば、ＧＥＴコマンド）、要求コマンドに対する応答である要求応答コマンド（例えば、ＧＥＴ応答コマンド）、各機器から自律的に機器の情報を通知する情報通知コマンド（例えば、ＩＮＦコマンド）のいずれかを含む。
【００２５】
分電盤１４０は、主幹電力線１０Ｌに接続される。分電盤１４０は、第１分電盤１４０Ａ及び第２分電盤１４０Ｂを有する。主幹電力線１０Ｌは、主幹電力線１０ＬＡ及び主幹電力線１０ＬＢを有する。第１分電盤１４０Ａは、主幹電力線１０ＬＡを介して電力系統１０に接続される。第１分電盤１４０Ａは、ＰＣＳ１３１を介して太陽電池１１１及び蓄電池１１２と接続されており、ＰＣＳ１３２を介して燃料電池１１３と接続される。第１分電盤１４０Ａは、ＰＣＳ１３１又はＰＣＳ１３２から第１分電盤１４０Ａに出力される電力と、電力系統１０から第１分電盤１４０Ａに供給される電力を、主幹電力線１０ＬＢを介して、第２分電盤１４０Ｂに供給する。第２分電盤１４０Ｂは、主幹電力線１０ＬＢを介して供給される電力を負荷１５０及びＥＭＳ１６０等の各機器に分配する。
【００２６】
負荷１５０は、電力線を介して供給される電力を消費する。例えば、負荷１５０は、エアーコンディショナ、照明装置、冷蔵庫、テレビなどを含む。負荷１５０は、単数の装置であってもよく、複数の装置を含んでもよい。
【００２７】
ＥＭＳ１６０は、施設１００における電力を示す電力情報を管理する電力管理装置（ＥＭＳ；Ｅｎｅｒｇｙ  Ｍａｎａｇｅｍｅｎｔ  Ｓｙｓｔｅｍ）である。施設１００における電力とは、例えば、施設１００内を流れる電力、施設１００が買電する電力、又は施設１００から売電する電力である。従って、ＥＭＳ１６０は、少なくともＰＣＳ１３１及びＰＣＳ１３２の１つを管理する。
【００２８】
ＥＭＳ１６０は、太陽電池１１１の発電量、蓄電池１１２の充電量、蓄電池１１２の放電量及び燃料電池１１３の発電量の少なくともいずれかを制御してもよい。ＥＭＳ１６０は、分電盤１４０と一体であってもよい。ＥＭＳ１６０は、ネットワーク３００に接続された装置である。ＥＭＳ１６０が有する機能は、ネットワーク３００を介したクラウドサービスによって提供されてもよい。
【００２９】
一実施形態では、ＥＭＳ１６０は、ルータ２００を介して各機器（例えば、ＰＣＳ１３０の通信装置１３２及び負荷１５０）と接続されている。ＥＭＳ１６０は、所定フォーマットを有する所定コマンドの通信を各機器と行う。
【００３０】
ネットワーク３００は、ＥＭＳ１６０及び外部サーバ４００を接続する通信網である。ネットワーク３００は、インターネットのような公衆通信回線であってもよい。ネットワーク３００は、移動体通信網を含んでもよい。また、ネットワーク３００は、専用通信回線であってもよく、一般通信回線であってもよい。
【００３１】
外部サーバ４００は、発電事業者、送配電事業者、小売事業者或いは分散電源の群管理事業者などの事業者のサーバである。外部サーバ４００は、電力系統１０の安定化等の観点から、電力指令メッセージを送信する。
【００３２】
電力指令メッセージは、電力系統１０から施設１００に対する潮流量の制御を指示する潮流量制御メッセージ（ＤＲ；Ｄｅｍａｎｄ  Ｒｅｓｐｏｎｓｅ）、施設１００から電力系統１０に対する逆潮流量の制御を指示する逆潮流制御メッセージ及び施設１００に設けられる分散電源の制御を指示する電源制御メッセージのいずれかである。電源制御メッセージは、潮流量又は逆潮流量の制御を伴わなくてもよい。
【００３３】
電力指令メッセージは、例えば、分散電源の目標制御レベルを含む。目標制御レベルは、設備認定出力に応じて定められる。設備認定出力は、分散電源を制御するＰＣＳの出力能力、例えば、定格出力、として認定を受けた出力である。目標制御レベルは、設備認定出力に応じて定められる絶対値（例えば、○○ｋＷ）で表されてもよく、設備認定出力に対する相対値（例えば、○○ｋＷの減少）で表されてもよく、設備認定出力に対する制御割合（例えば、○○％）で表されてもよい。なお、目標制御レベルは、設備認定容量［ｋＷｈ］に応じて定められてもよい。
【００３４】
分散電源の出力能力とＰＣＳの出力能力とが異なる場合には、設備認定出力は、これらの出力能力のうち、小さい方の出力能力に基づいて設定される。複数のＰＣＳが設置されるケースにおいては、設備認定出力は、複数のＰＣＳの出力能力の合計であってもよい。
【００３５】
電力指令メッセージは、分散電源の制御のスケジュールを示すカレンダー情報を含んでもよい。カレンダー情報において、分散電源の制御のスケジュールは、例えば、３０分単位で設定可能であるが、これに限定されず、任意の時間幅を１単位としてもよい。カレンダー情報は、１日分のスケジュールを含んでもよく、１月分のスケジュールを含んでもよく、１年分のスケジュールを含んでもよい。
【００３６】
分散電源の制御が行われる最大期間として所定期間が定められていてもよい。所定期間は、例えば、１年間における日数であってもよく（日数ルール）、１年間における累計時間であってもよい（累計時間ルール）。具体的には、所定期間は、例えば、１年間において３０日であってもよく（３０日ルール）、１年間において３６０時間であってもよい（３６０時間ルール）。但し、所定期間が定められていなくてもよい（指定ルール）。
【００３７】
一実施形態では、外部サーバ４００は、ＥＭＳ１６０に電力指令メッセージを送信してもよい。ＥＭＳ１６０は、電力指令メッセージに基づいた所定コマンドをＰＣＳ１３１及びＰＣＳ１３２の少なくともいずれか１つに送信してもよい。但し、外部サーバ４００は、ＥＭＳ１６０を経由せずに、ＰＣＳ１３１及びＰＣＳ１３２の少なくともいずれか１つに電力指令メッセージを直接的に送信してもよい。
【００３８】
（電力変換装置）
以下において、一実施形態に係る電力変換装置について説明する。ここでは、電力変換装置としてＰＣＳ１３１を例示する。図２に示すように、ＰＣＳ１３１は、通信部１３１Ａと、電力変換部１３１Ｂと、制御部１３１Ｃとを有する。
【００３９】
通信部１３１Ａは、通信モジュール等を有する。通信部１３１Ａは、ＥＭＳ１６０と所定プロトコルを用いた所定コマンドの通信を行う。通信部１３１Ａは、ＥＭＳ１６０と所定プロトコルを用いた所定コマンドの通信を行う第１通信部と称されてもよい。
【００４０】
電力変換部１３１Ｂは、太陽電池１１１及び蓄電池１１２からの直流電力を交流電力に変換する。電力変換部１３１Ｂは、蓄電池１１２への交流電力を直流電力に変換する。
【００４１】
制御部１３１Ｃは、ＣＰＵ及びメモリ等を有する。制御部１３１Ｃは、通信部１３１Ａ及び電力変換部１３１Ｂを制御する。例えば、制御部１３１Ｃは、ＥＭＳ１６０から受信する所定コマンドに基づいて電力変換部１３１Ｂを制御する。すなわち、制御部１３１Ｃは、ＥＭＳ１６０の指示に従って、太陽電池１１１の発電量、蓄電池１１２の充電量及び蓄電池１１２の放電量の少なくともいずれかを制御する。
【００４２】
（電力管理装置）
以下において、一実施形態に係る電力管理装置について説明する。ここでは、電力管理装置としてＥＭＳ１６０を例示する。図３に示すように、ＥＭＳ１６０は、通信部１６１と、制御部１６２を有する。
【００４３】
通信部１６１は、通信モジュール等を有する。通信部１６１は、ＰＣＳ１３１又はＰＣＳ１３２と所定プロトコルを用いた所定コマンドの通信を行う。通信部１６１は、ＰＣＳ１３１又はＰＣＳ１３２と所定プロトコルを用いた所定コマンドの通信を行う第２通信部と称されてもよい。
【００４４】
制御部１６２は、ＣＰＵ及びメモリ等を有する。制御部１６２は、通信部１６１を制御する。例えば、制御部１６２は、施設１００における電力を管理するために各機器（ＰＣＳ１３１、ＰＣＳ１３２、負荷１５０）から情報を収集する。制御部１６２は、施設１００における電力の状態及び電力指令メッセージの少なくともいずれか１つに基づいて、ＰＣＳ１３１、ＰＣＳ１３２、負荷１５０等の各機器を制御する。
【００４５】
（メッセージフォーマット）
以下において、一実施形態に係るメッセージフォーマットについて説明する。ここでは、所定フォーマットがＥＣＨＯＮＥＴ  Ｌｉｔｅ方式に準拠するフォーマットであるケースを例示する。
【００４６】
図４に示すように、ＳＥＴコマンドＭ５１０は、ヘッダＭ５１１と、コードＭ５１２と、対象プロパティＭ５１３とを含む。一実施形態では、ＳＥＴコマンドＭ５１０は、各機器に対して機器の設定又は操作を指示する設定コマンドの一例であり、ＥＭＳ１６０から機器に送信されるコマンドである。ヘッダＭ５１１は、ＳＥＴコマンドＭ５１０の宛先等を示す情報である。コードＭ５１２は、コードＭ５１２を含むメッセージの種別を示す情報である。ここでは、コードＭ５１２は、コードＭ５１２を含むメッセージがＳＥＴコマンドであることを示す情報である。対象プロパティＭ５１３は、ＥＭＳ１６０が機器に指示する設定又は操作を示す情報要素（プロパティ）を含む。
【００４７】
図５に示すように、ＳＥＴ応答コマンドＭ５２０は、ヘッダＭ５２１と、コードＭ５２２と、応答内容Ｍ５２３とを含む。一実施形態では、ＳＥＴ応答コマンドＭ５２０は、ＥＭＳ１６０から受信されるコマンドに応じて、機器からＥＭＳ１６０に送信されるコマンドの一例である。
【００４８】
ヘッダＭ５２１は、ＳＥＴ応答コマンドＭ５２０の宛先等を示す情報である。コードＭ５２２は、コードＭ５２２を含むメッセージの種別を示す情報である。ここでは、コードＭ５２２は、コードＭ５２２を含むメッセージがＳＥＴ応答コマンドであることを示す情報である。応答内容Ｍ５２３は、ＳＥＴコマンドを受信したことを示す情報を含む。このような情報は、ＳＥＴコマンドに含まれるプロパティのコピーであってもよいし、肯定応答（Ａｃｋｎｏｗｌｅｄｇｅｍｅｎｔ；ＡＣＫ）であってもよい。またこのような情報は、これに限定されず、一部のデータだけを正しく受け取った旨を意図する応答（Ｓｅｌｅｃｔｉｖｅ  ＡＣＫ）であってもよい。
【００４９】
図６に示すように、ＧＥＴコマンドＭ６１０は、ヘッダＭ６１１と、コードＭ６１２と、対象プロパティＭ６１３とを含む。一実施形態では、ＧＥＴコマンドＭ６１０は、各機器に対して機器の情報の送信を要求する要求コマンドの一例であり、ＥＭＳ１６０から機器に送信されるコマンドの一例である。ヘッダＭ６１１は、ＧＥＴコマンドＭ６１０の宛先等を示す情報である。コードＭ６１２は、コードＭ６１２を含むメッセージの種別を示す情報である。ここでは、コードＭ６１２は、コードＭ６１２を含むメッセージがＧＥＴコマンドであることを示す情報である。対象プロパティＭ６１３は、ＥＭＳ１６０が送信を要求する情報要素（プロパティ）を含む。
【００５０】
図７に示すように、ＧＥＴ応答コマンドＭ６２０は、ヘッダＭ６２１と、コードＭ６２２と、応答内容Ｍ６２３とを含む。一実施形態では、ＧＥＴ応答コマンドＭ６２０は、ＥＭＳ１６０から受信されるコマンドに応じて、機器からＥＭＳ１６０に送信されるコマンドの一例である。
【００５１】
ヘッダＭ６２１は、ＧＥＴ応答コマンドＭ６２０の宛先等を示す情報である。コードＭ６２２は、コードＭ６２２を含むメッセージの種別を示す情報である。ここでは、コードＭ６２２は、コードＭ６２２を含むメッセージがＧＥＴ応答コマンドであることを示す情報である。応答内容Ｍ６２３は、ＧＥＴコマンドによって要求された情報要素（プロパティ）を含む。
【００５２】
図８に示すように、ＩＮＦコマンドＭ７１０は、ヘッダＭ７１１と、コードＭ７１２と、対象プロパティＭ７１３とを含む。一実施形態では、ＩＮＦコマンドＭ７１０は、各機器から自律的に機器の情報を通知する情報通知コマンドの一例であり、各機器からＥＭＳ１６０に送信されるコマンドの一例である。ヘッダＭ７１１は、ＩＮＦコマンドＭ７１０の宛先等を示す情報である。コードＭ７１２は、コードＭ７１２を含むメッセージの種別を示す情報である。ここでは、コードＭ７１２は、コードＭ７１２を含むメッセージがＩＮＦコマンドであることを示す情報である。対象プロパティＭ７１３は、各機器から自立的に通知される情報要素（プロパティ）を含む。
【００５３】
ここで、情報要素は、コマンド間で共通化されていてもよい。例えば、情報要素が機器の運転状態であるケースにおいて、運転状態を情報要素として含むＳＥＴコマンドは、機器に対して運転状態の設定を指示するコマンドとして機能する。一方で、運転状態を情報要素として含むＧＥＴコマンドは、機器の運転状態の送信を要求するコマンドとして機能する。
【００５４】
情報要素としては、ＳＥＴコマンド（ＳＥＴ応答コマンド）にのみ用いる情報要素、ＧＥＴコマンド（ＧＥＴ応答コマンド）にのみ用いる情報要素、ＩＮＦコマンドにのみ用いる情報要素、ＳＥＴコマンド（ＳＥＴ応答コマンド）、ＧＥＴコマンド（ＧＥＴ応答コマンド）及びＩＮＦコマンドの中から選択される２以上のコマンドに用いる情報要素が挙がられる。
【００５５】
一実施形態では、情報要素は、系統連系状態におけるＰＣＳ１３１の連系定格出力及び自立運転状態におけるＰＣＳ１３１の自立定格出力を指定する情報要素を含む。情報要素は、系統連系状態における太陽電池１１１の連系定格出力及び自立運転状態における太陽電池１１１の自立定格出力を指定する情報要素を含んでもよい。情報要素は、系統連系状態における蓄電池１１２の連系定格出力及び自立運転状態における蓄電池１１２の自立定格出力を指定する情報要素を含んでもよい。
【００５６】
ここで、ＰＣＳ１３１の定格出力は、上述した設備認定出力であってもよい。ＰＣＳ１３１の定格出力は、電力値（Ｗ）で表されてもよく、電圧値（Ｖ）で表されてもよく、電流値（Ａ）で表されてもよい。太陽電池１１１の定格出力は、電力値（Ｗ）で表されてもよく、電圧値（Ｖ）で表されてもよく、電流値（Ａ）で表されてもよい。蓄電池１１２の定格出力は、電力値（Ｗ）で表されてもよく、電圧値（Ｖ）で表されてもよく、電流値（Ａ）で表されてもよく、容量値（Ａｈ）で表されてもよい。
【００５７】
ここで、情報要素は、系統連系状態又は自立運転状態を示す情報要素、いずれかの機器（ＰＣＳ１３１、太陽電池１１１又は蓄電池１１２）を示す情報要素及び定格出力を示す情報要素を含んでもよい。これらの３つの情報要素が１つのコマンドに含まれることによって、１つのコマンドに含まれる情報要素の意味が表されてもよい。或いは、系統連系状態又は自立運転状態を示す情報要素、いずれかの機器（ＰＣＳ１３１、太陽電池１１１又は蓄電池１１２）の定格出力を示す情報要素を含んでもよい。これらの２つの情報要素が１つのコマンドに含まれることによって、１つのコマンドに含まれる情報要素の意味が表されてもよい。例えば、系統連系状態におけるＰＣＳ１３１の連系定格出力は、連系運転状態を示す情報要素、ＰＣＳ１３１を示す情報要素及び定格出力を示す情報要素の３つの情報要素によって表されてもよい。系統連系状態におけるＰＣＳ１３１の連系定格出力は、連系運転状態を示す情報要素及びＰＣＳ１３１の定格出力を示す情報要素の２つの情報要素によって表されてもよい。自立運転状態におけるＰＣＳ１３１の自立定格出力は、自立運転状態を示す情報要素、ＰＣＳ１３１を示す情報要素及び定格出力を示す情報要素の３つの情報要素によって表されてもよい。自立運転状態におけるＰＣＳ１３１の自立定格出力は、自立運転状態を示す情報要素及びＰＣＳ１３１の定格出力を示す情報要素の２つの情報要素によって表されてもよい。
【００５８】
このようなケースにおいて、ＥＭＳ１６０（通信部１６１）は、ＰＣＳ１３１の連系定格出力及びＰＣＳ１３１の自立定格出力を識別可能な態様で、ＰＣＳ１３１の連系定格出力及びＰＣＳ１３１の自立定格出力の少なくともいずれか１つを指定する情報要素を含むコマンドの通信（ＧＥＴコマンドの送信又はＧＥＴ応答コマンドの受信）を所定コマンドの通信として行う。
【００５９】
識別可能な態様とは、ＰＣＳ１３１の連系定格出力を指定する情報要素及びＰＣＳ１３１の自立定格出力を指定する情報要素のいずれか一方のみをコマンドが含む態様であってもよい。識別可能な態様とは、ＰＣＳ１３１の連系定格出力を指定する情報要素及びＰＣＳ１３１の自立定格出力を指定する情報要素の双方をコマンドが含む場合であっても、２つの情報要素が何を示しているのかが分かる態様であってもよい。
【００６０】
ＥＭＳ１６０は、太陽電池１１１の連系定格出力を指定する情報要素を含むコマンドの通信を所定コマンドの通信として行ってもよい。ＥＭＳ１６０は、ＰＣＳ１３１の連系定格出力を指定する情報要素及び太陽電池１１１の連系定格出力を指定する情報要素の双方を含むコマンドを所定コマンドの通信として行ってもよい。
【００６１】
ＥＭＳ１６０は、太陽電池１１１の自立定格出力を指定する情報要素を含むコマンドの通信を所定コマンドの通信として行ってもよい。ＥＭＳ１６０は、ＰＣＳ１３１の自立定格出力を指定する情報要素及び太陽電池１１１の自立定格出力を指定する情報要素の双方を含むコマンドを所定コマンドの通信として行ってもよい。
【００６２】
ＥＭＳ１６０は、蓄電池１１２の連系定格出力を指定する情報要素を含むコマンドの通信を所定コマンドの通信として行ってもよい。ＥＭＳ１６０は、ＰＣＳ１３１の連系定格出力を指定する情報要素及び蓄電池１１２の連系定格出力を指定する情報要素の双方を含むコマンドを所定コマンドの通信として行ってもよい。
【００６３】
ＥＭＳ１６０は、蓄電池１１２の自立定格出力を指定する情報要素を含むコマンドの通信を所定コマンドの通信として行ってもよい。ＥＭＳ１６０は、ＰＣＳ１３１の自立定格出力を指定する情報要素及び蓄電池１１２の自立定格出力を指定する情報要素の双方を含むコマンドを所定コマンドの通信として行ってもよい。
【００６４】
ここで、ＰＣＳ１３１の自立定格出力は、ＰＣＳ１３１の連系定格出力よりも小さくてもよい。太陽電池１１１の自立定格出力は、太陽電池１１１の連系定格出力よりも小さくてもよい。蓄電池１１２の自立定格出力は、蓄電池１１２の連系定格出力よりも小さくてもよい。
【００６５】
定格出力を指定する情報要素は、機器の設定又は操作の指示に用いる性質のものではないため、ＧＥＴコマンドにのみ用いられてもよく、ＩＮＦコマンドのみに用いられてもよく、ＧＥＴコマンド及びＩＮＦコマンドの双方にのみ用いられてもよい。
【００６６】
一実施形態において、ＥＭＳ１６０は、ＰＣＳ１３１が扱うことが可能な情報要素の一覧を要求するコマンド（例えば、ＧＥＴプロパティマップ）をＰＣＳ１３１に送信してもよい。ＰＣＳ１３１は、このようなコマンドに応じて、ＰＣＳ１３１が扱うことが可能な情報要素の一覧を示すコマンド（例えば、ＧＥＴプロパティマップ応答）をＥＭＳ１６０に送信してもよい。
【００６７】
このようなケースにおいて、ＰＣＳ１３１の連系定格出力及びＰＣＳ１３１の自立定格出力の少なくともいずれか１つを指定する情報要素を含むコマンドの通信を行う機能の有無を問い合わせるコマンドは、ＰＣＳ１３１が扱うことが可能な情報要素の一覧を要求するコマンド（例えば、ＧＥＴプロパティマップ）の一例である。ＥＭＳ１６０は、ＰＣＳ１３１が扱うことが可能な情報要素を含むコマンドのみを送信してもよい。
【００６８】
（電力管理方法）
以下において、一実施形態に係る電力管理方法について説明する。ＰＣＳ１３１とＥＭＳ１６０との間の通信で用いられる所定プロトコルがＥＣＨＯＮＥＴ  Ｌｉｔｅ方式であるケースを例に挙げる。
【００６９】
図９に示すように、ステップＳ１０において、ＰＣＳ１３１は、インスタンスリスト通知をＥＭＳ１６０に送信する。インスタンスリスト通知は、ＰＣＳ１３１がどのような機器であるのかを示す情報要素（インスタンス）を含む。インスタンスは、ＰＣＳ１３１の単体の種別を示す情報要素であってもよく、太陽電池１１１、蓄電池１１２及びＰＣＳ１３１の全体の種別を示す情報要素であってもよい。
【００７０】
ＰＣＳ１３１は、ＰＣＳ１３１の電源が投入又は再投入されたタイミング、ＰＣＳ１３１がローカルエリアネットワークに接続又は再接続されたタイミング、或いは、太陽電池１１１又は蓄電池１１２がＰＣＳ１３１に接続又は再接続されたタイミングにおいて、インスタンスリスト通知を送信してもよい。
【００７１】
ステップＳ１１において、ＥＭＳ１６０は、ＧＥＴプロパティマップをＰＣＳ１３１に送信する。ＧＥＴプロパティマップは、ＰＣＳ１３１が扱うことが可能な情報要素の一覧を要求するコマンドである。
【００７２】
ステップＳ１２において、ＰＣＳ１３１は、ＧＥＴプロパティマップに応じて、ＧＥＴプロパティマップ応答をＥＭＳ１６０に送信する。ＧＥＴプロパティマップ応答は、ＰＣＳ１３１が扱うことが可能な情報要素の一覧を示すコマンドである。
【００７３】
ステップＳ１３において、ＥＭＳ１６０は、ＧＥＴコマンドをＰＣＳ１３１に送信する。ＧＥＴコマンドは、ＰＣＳ１３１の連系定格出力及びＰＣＳ１３１の自立定格出力を識別可能な態様で、ＰＣＳ１３１の連系定格出力及びＰＣＳ１３１の自立定格出力の少なくともいずれか１つを指定する情報要素を含むコマンドの一例である。
【００７４】
ここで、ＥＭＳ１６０は、太陽電池１１１の自立定格出力、太陽電池１１１の連系定格出力、蓄電池１１２の自立定格出力及び蓄電池１１２の連系定格出力の少なくともいずれか１つを指定する情報要素を含むコマンドをＧＥＴコマンドとして送信してもよい。
【００７５】
ステップＳ１４において、ＰＣＳ１３１は、ＧＥＴコマンドに応じて、ＧＥＴ応答コマンドをＥＭＳ１６０に送信する。ＧＥＴ応答コマンドは、ＰＣＳ１３１の連系定格出力及びＰＣＳ１３１の自立定格出力を識別可能な態様で、ＰＣＳ１３１の連系定格出力及びＰＣＳ１３１の自立定格出力の少なくともいずれか１つを指定する情報要素を含むコマンドの一例である。
【００７６】
ここで、ＰＣＳ１３１は、太陽電池１１１の自立定格出力、太陽電池１１１の連系定格出力、蓄電池１１２の自立定格出力及び蓄電池１１２の連系定格出力の少なくともいずれか１つを指定する情報要素を含むコマンドをＧＥＴ応答コマンドとして送信してもよい。
【００７７】
ステップＳ１５において、ＥＭＳ１６０は、施設１００における電力の状態及び電力指令メッセージの少なくともいずれか１つに基づいて、ＰＣＳ１３１の出力を制御するためにＳＥＴコマンドをＰＣＳ１３１に送信する。ＳＥＴコマンドは、例えば、ＰＣＳ１３１の動作状態を情報要素として含む。このようなケースにおいて、系統連系状態ではＰＣＳ１３１の連系定格出力が参照され、自立運転状態ではＰＣＳ１３１の自立定格出力が参照されてもよい。
【００７８】
ステップＳ１６において、ＰＣＳ１３１は、ＳＥＴコマンドに応じて、ＳＥＴ応答コマンドをＥＭＳ１６０に送信する。
【００７９】
ステップＳ１７において、ＥＭＳ１６０は、ＳＥＴコマンドに応じてＰＣＳ１３１が動作しているか否かを確認するために、ＧＥＴコマンドをＰＣＳ１３１に送信する。ＧＥＴコマンドは、例えば、ＰＣＳ１３１の動作状態を情報要素として含む。
【００８０】
ステップＳ１８において、ＰＣＳ１３１は、ＧＥＴコマンドに応じて、ＧＥＴ応答コマンドをＥＭＳ１６０に送信する。
【００８１】
上述したステップＳ１０〜ステップＳ１４の処理は、初期設定処理又は再設定処理であってもよい。従って、上述したステップＳ１３及びステップＳ１４の処理は、初期設定処理又は再設定処理の一部であってもよい。
【００８２】
ＥＭＳ１６０は、ＰＣＳ１３１の連系定格出力及び自立定格出力を取得した後において、例えば、ＥＭＳ１６０の内部の記憶媒体でＰＣＳ１３１の連系定格出力及び自立定格出力を管理する。ＥＭＳ１６０は、系統の状態が連系か自立かに応じて、ＥＭＳ１６０が制御するＰＣＳ１３１の出力を調節する。例えば、自立の状態にある場合、ＥＭＳ１６０は、自立定格出力の値に応じてＰＣＳ１３１を制御する。
【００８３】
（作用及び効果）
一実施形態では、ＥＭＳ１６０は、ＰＣＳ１３１の連系定格出力及びＰＣＳ１３１の自立定格出力を識別可能な態様で、ＰＣＳ１３１の連系定格出力及びＰＣＳ１３１の自立定格出力の少なくともいずれか１つを指定する情報要素を含むコマンドの通信を行う。従って、ＥＭＳ１６０は、施設１００（ＰＣＳ１３１）の状態が系統連系状態又は自立運転状態であるのかに応じて、適切にＰＣＳ１３１を制御することができる。例えば、連系定格出力の値よりも自立定格出力の値の方が小さく設定される場合、ＥＭＳ１６０が、自立時において、自立定格出力の値を取得し、その値に基づいてＰＣＳ１３１を制御する。その結果、過電流保護や過負荷保護などの保護機能の起動が低減される。
【００８４】
［変更例１］
以下において、変更例１について説明する。以下においては、上述したいくつかの実施形態に対する相違点について主として説明する。
【００８５】
一実施形態では、各コマンドに含まれる情報要素は、以下に示す情報要素であってもよい。
【００８６】
例えば、情報要素は、ＰＣＳ１３１が所定プロトコルの認証を受けているか否かを示す情報要素であってもよい。例えば、ＥＣＨＯＮＥＴ  Ｌｉｔｅ方式においては、認証はＡＩＦ（Ａｐｐｌｉｃａｔｉｏｎ  Ｉｎｔｅｒｆａｃｅ）認証であってもよい。
【００８７】
情報要素は、上述した認証を受けている所定プロトコルのバージョンを示す情報要素であってもよい。バージョンとは、所定プロトコルが更新された際に付される識別情報である。
【００８８】
情報要素は、分散電源をＶＰＰ（Ｖｉｒｔｕａｌ  Ｐｏｗｅｒ  Ｐｌａｎｔ）に用いることが可能であるか否かを示す情報要素であってもよい。ＶＰＰは、複数の施設１００に設けられる分散電源を電力系統１０に電力を供給する電源として用いるシステムである。上述した実施形態では、このような情報要素は、太陽電池１１１をＶＰＰに用いることが可能であるか否か、蓄電池１１２をＶＰＰに用いることが可能であるか否か、ＰＣＳ１３１をＶＰＰに用いることが可能であるか否かの少なくともいずれか１つを示す情報要素である。ＶＰＰに用いることが可能であるか否かを示す情報要素は、施設１００の外部に設けられるサーバ（例えば、外部サーバ４００）の遠隔操作が許容されているか否かを示す情報要素であってもよい。
【００８９】
情報要素は、系統連系状態におけるＰＣＳ１３１の連系出力方法及び自立運転状態におけるＰＣＳ１３１の自立出力方法を識別可能な態様で、ＰＣＳ１３１の連系出力方法及びＰＣＳ１３１の自立出力方法の少なくともいずれか１つを指定する情報要素であってもよい。出力方法は、特に限定されるものではないが、単相３線出力や単相２線出力といった電力線の接続方法であってもよく、電力線の接続方法及び出力電圧であってもよい。但し、出力電圧は、上述した定格出力であってもよい。
【００９０】
［その他の実施形態］
本発明は上述したいくつかの実施形態によって説明したが、この開示の一部をなす論述及び図面は、この発明を限定するものであると理解すべきではない。この開示から当業者には様々な代替実施形態、実施例及び運用技術が明らかとなろう。
【００９１】
一実施形態では、ＰＣＳ１３１の連系定格出力、ＰＣＳ１３１の自立定格出力、太陽電池１１１の連系定格出力、太陽電池１１１の自立定格出力、蓄電池１１２の連系定格出力及び蓄電池１１２の自立定格出力などを示す情報要素がＧＥＴコマンド又はＧＥＴ応答コマンドに含まれるケースを例示した。しかしながら、実施形態はこれに限定されるものではない。ＰＣＳ１３１は、上述した情報要素を含むＩＮＦコマンドを送信してもよい。ＰＣＳ１３１は、ＰＣＳ１３１の電源が投入又は再投入されたタイミング、ＰＣＳ１３１がローカルエリアネットワークに接続又は再接続されたタイミング、或いは、太陽電池１１１又は蓄電池１１２がＰＣＳ１３１に接続又は再接続されたタイミングにおいて、上述した情報要素を含むＩＮＦコマンドを送信してもよい。或いは、ＰＣＳ１３１は、連系運転状態から自立運転状態に運転状態が切り替わったタイミングにおいて、上述した情報要素を含むＩＮＦコマンドを送信してもよい。
【００９２】
一実施形態では、ＥＭＳ１６０と機器との間の通信で用いられる所定プロトコルがＥＣＨＯＮＥＴ  Ｌｉｔｅ方式であるケースについて説明した。しかしながら、一実施形態はこれに限定されるものではない。所定プロトコルは、施設１００で用いるプロトコルとして規格化されたプロトコルであればよい。
【００９３】
一実施形態では、第１分散電源が太陽電池１１１であり、第２分散電源が蓄電池１１２である。しかしながら、実施形態はこれに限定されるものではない。第１分散電源及び第２分散電源がいずれも太陽電池１１１であってもよい。第１分散電源及び第２分散電源がいずれも蓄電池１１２であってもよい。第１分散電源及び第２分散電源のいずれかが燃料電池１１３であってもよい。
【００９４】
本願は、日本国特許出願第２０１６−１８８８５６号（２０１６年９月２７日）の優先権を主張し、その内容の全てが本願明細書に組み込まれている。
【図１】
2020205746.tif 000003
【図２】
2020205746.tif 000004
【図３】
2020205746.tif 000005
【図４】
2020205746.tif 000006
【図５】
2020205746.tif 000007
【図６】
2020205746.tif 000008
【図７】
2020205746.tif 000009
【図８】
2020205746.tif 000010
【図９】
2020205746.tif 000011